(57)【特許請求の範囲】
【請求項１】
本体部内に、駆動機構により回転駆動される糊付けロールと該糊付けロールにギアを介して連動されるドクターロールと糊上げロールとを含む複数のロールと、糊を収容し、その糊を糊付けロールに転写する糊上げロールを前記糊付けロールとギアを介して連動可能に側壁に軸支する糊桶とを備え、前記本体部の後部から引き入れたシート状壁装材を前記複数のロールによって前方へ送り出しながら前記壁装材の裏面に前記糊付けロールにより連続的に糊を塗布する自動壁紙糊付機において、
前記糊上げロールを前記送り出し方向と逆方向に回転駆動させる逆回転駆動装置と、この逆回転駆動装置による糊上げロールの逆回転開始時に前記糊付けロールと前記駆動機構との連結を絶つクラッチ機構と、糊付機の稼働中における一時停止後の再駆動時に予め定められた時間だけ糊上げロールを逆回転させるように前記逆回転駆動装置を制御する制御手段を備えたことを特徴とする自動壁紙糊付機。
【発明の詳細な説明】
【０００１】
【発明の属する技術分野】
本発明は、室内壁面等に貼付されるシート状壁装材の裏面に、連続的に糊を塗布する自動壁紙糊付機に関するものである。
【０００２】
【従来の技術】
従来から、一般的な自動壁紙糊付機では、その一例として側面側から透視して見た図４の概略構成図に示すように、糊付機本体１０１を構成する上部構体１０２及び下部構体１０３内に、複数のロール（１１０〜１１７）が互いにギアを介して配列されているものである。又、下部構体１０３内には、糊を収容している糊桶１０４が備えられている。
【０００３】
上部構体１０２内には、シート状壁装材（以下、クロスと記す）１００を糊付機本体１０１内に後部側から取り込むためのピンチロールを構成する上側ピンチロール１１０と、クロス１００に糊付機本体１０１の前部方向への送り出し張力を付与するためのドライブロール１１２と、これら上側ピンチロール１１０とドライブロール１１２との間でクロス１００を上から押さえて追従回転する押さえロール１１１とが、互いに所定間隔で平行に配列されるように、それぞれ上部構体１０２の側板に軸支されている。
【０００４】
また、下部構体１０３内には、前記上側ピンチロール１１０と対になってピンチロールを構成する下側ピンチロール１１３と、糊上げロール１１７から転写された糊をクロス１００裏面に塗布する糊付けロール１１５と、糊付けロール１１５に接して糊量を調節するドクターロール１１４と、前記ドライブロール１１２と共にクロス１００に適度な張力を与えて前部方向へ送り出す均しロール１１６とが、互いに所定間隔を持って平行に配列されるように、下部構体１０３の側板に軸支されている。また糊上げロール１１７は、糊桶１０４の内部両側面に軸支されている。
【０００５】
図５の下部構体１０３内の部分概略図である、上方から見た平面図（ａ）、Ｘ−Ｘ部分縦切断端面図（ｂ）に示すように、糊付機外面には駆動制御装置Ｍ１が取付けられており、駆動制御装置Ｍ１内のモータの回転軸に、糊付けロール１１５の一端側の回転軸が連結されており、モータの駆動によって糊付けロール１１５が回転駆動される。駆動制御装置Ｍ１へ入力された作動条件等の制御情報を含む作動命令によって糊付けロール１１５がモータによって回転駆動されると、糊付けロール１１５にギアを介して連結されている他のロール（１１３〜１１７）も連動して回転駆動する。
【０００６】
上記の如き構成の壁紙糊付機を用いた糊付け作業においては、まず、下部構体１０３に対して上部構体１０２を開いた状態とし、糊付機本体１０１の後部に取付けられたスリッタ１２０を通過して所定幅に調整されるクロス１００の先端を引き出し、その先端が本体全面側に垂れるようにクロス１００を下側ピンチロール１１３，糊付けロール１１５，均しロール１１６の上に載せ、上部構体１０２を閉じ、クロス１００の挟み込み状態を得る。
【０００７】
この用にクロス１００がセットされた状態において、駆動制御装置Ｍ１からの初期設定指令によって、初期設定量だけ駆動が開始される。この初期駆動によってギアでそれぞれ連結された各ロールが所定の周速比で回転を始めると、糊上げロール１１７が糊桶１０４内の糊を載せ上げつつ、糊付けロール１１５へ糊を転写する。糊付けロール１１５の表面へ転写された糊は、ドクターロール１１４で所定量に調整されたのち、押さえロール糊付けロール１１５の頭頂部に送られてくるクロス１００の裏面に転写塗布される。
【０００８】
糊付けされたクロス１００は、その後ドライブロール１１２と均しロール１１６とによって張力を与えられた状態で牽引され、均しロール１１６による糊面の均しが行われつつ本体前面に送り出されてくる。初期設定量分のクロス１００裏面への糊付けが行われたら、駆動制御装置Ｍ１からの停止命令により装置の駆動を一旦止めて、先端の糊付けされていない不要なクロス１００部分をカッタで切断して初期設定を終了する。
【０００９】
この初期設定終了後、実際に必要なクロス長等の条件設定を駆動制御装置Ｍ１へ入力し、駆動制御装置Ｍ１からの作動命令によってモータによる装置の回転駆動が開始されると、裏面全面に糊付けされたクロス１００が本体前面から送り出され、所望の長さとなるとカッタで切断される。この所望長さの糊付け済みクロス１００が所望枚数得られたら、駆動制御装置Ｍ１からの停止命令によってモータが装置駆動を停止し、次のクロスの所望長さが入力され、作動命令が生じると再び装置駆動を始める。通常、作業現場ではこの操作が繰り返し行われる。
【００１０】
【発明が解決しようとする課題】
しかしながら、上記の如く、設定入力値を変更する際などに装置駆動を停止させると、その停止時間が長いほど、糊付けロール１１５表面に付いていた糊が、下方へ流れ落ち、糊付けロール１１５とドクターロール１１４との間Ａ点および糊付けロール１１５と糊上げロール１１７との間Ｂ点に糊が溜ってしまう。
【００１１】
従って、この状態で再び装置を駆動させてクロス１００裏面への糊塗布を始めると、糊付けロール１１５の表面の糊が流れ落ちて糊の付着が減少した領域Ｃとの当接が始まり、図６の模式図に示すように、糊付け済領域Ｔの後端から糊塗布量不足領域Ｙが生じる。
【００１２】
この糊塗布不足領域Ｙは、各ロールの回転駆動が進んで糊桶１０４から糊上げロール１１７によって糊が載せ上げられて糊付けロール１１５への糊転写が再開し、必要量の糊がクロス１００へ塗布される安定領域Ｓが始まるまでの間に、Ａ点およびＢ点の通過に伴って一時的に塗布糊量が増加する部分と交互に繰り返し現れる。このような糊塗布量不安定領域Ｕは、例えば一般的な壁紙糊付機において、糊付けロール１１５の直径が約８．８ｃｍで糊上げロール１１７の直径が約５．２ｃｍの時、停止３０分後の再駆動時では約６０〜８０ｃｍにまで亘る。
【００１３】
このような長い糊塗布量不安定領域Ｕを持つクロス１００はもちろん不良品であり、この部分を切断する必要が生じる。これはクロスをむだにすると共に作業効率を悪化させる。
【００１４】
本発明は、上記問題点に鑑み、一時停止後の再駆動時に生じる糊塗布量不安定領域を従来より大幅に低減できる自動壁紙糊付機を得ることを目的とする。
【００１５】
【課題を解決するための手段】
上述の目的を達成するため、請求項１に記載の発明に係る自動壁紙糊付機では、本体部内に、駆動機構により回転駆動される糊付けロールと該糊付けロールにギアを介して連動されるドクターロールと糊上げロールとを含む複数のロールと、糊を収容し、その糊を糊付けロールに転写する糊上げロールを前記糊付けロールとギアを介して連動可能に側壁に軸支する糊桶とを備え、前記本体部の後部から引き入れたシート状壁装材を前記複数のロールによって前方へ送り出しながら前記壁装材の裏面に前記糊付けロールにより連続的に糊を塗布する自動壁紙糊付機において、
前記糊上げロールを前記送り出し方向と逆方向に回転駆動させる逆回転駆動装置と、この逆回転駆動装置による糊上げロールの逆回転開始時に前記糊付けロールと前記駆動機構との連結を絶つクラッチ機構と、糊付機の稼働中における一時停止後の再駆動時に予め定められた時間だけ糊上げロールを逆回転させるように前記逆回転駆動装置を制御する制御手段を備えたものである。
【００１７】
本発明においては、糊上げロールを逆回転させる逆回転駆動装置を備えたものである。通常、装置作動時には各ロールが連動して回転駆動するように下部構体内に配列される各ロールは互いにギアを介して連結されているため、糊上げロールを逆転させると、それに伴って糊付けロールとドクターロールも逆転する。
【００１８】
従って、本発明による自動壁紙糊付機では、装置の一時停止後の再駆動時に前記逆回転駆動装置によって所定量だけ糊上げロールを逆回転させれば、糊付けロールも逆回転し、停止後に表面で糊が流れ落ちた領域（図４中の領域Ｃ）に、糊上げロールの逆回転によって糊付け作動時と逆方向に載り上げられた糊を付着させることができる。これによって、糊付けロールの糊減少領域は少なくなるため、装置再駆動直後の壁装材裏面では、糊塗布量不足領域（図４中の領域Ｙ）は少なく、速やかに安定領域が現れる。
【００１９】
このように、再駆動時に糊上げロールを逆回転させることによって、従来は切り取らなければならなかった糊塗布量不足領域が低減され、その分、壁装材の無駄や切り取りのための手間を省くことができ、壁装材の糊付け及び壁貼り工程が効率的となる。
【００２０】
なお、本発明では、クラッチ機構によって逆回転開始時に糊付けロールと駆動機構との連結を絶つことができるため、糊付けロールに伴って糊上げロールが逆回転を初めても、駆動機構側への負荷等の影響はない。なお、このようなクラッチ機構としては、例えば、一方向にのみ回転を伝えるワンウエイクラッッチや、噛み合いクラッチ等が利用できる。
【００２１】
また、上記の如き逆回転駆動装置による糊上げロールの逆回転時には、これに伴う糊付けロールの逆回転が糊付けロールにギアで連結された他のロールにも伝達され、結果的に壁装材の逆行も生じるが、糊付け済領域がピンチロールにまで達するほど不必要に逆行することのないように、逆回転量を適当な量に制御することが望ましい。
【００２２】
即ち、一時停止後の再駆動時に予め定められた時間だけ糊上げロールを逆回転させるように前記逆回転駆動装置を制御する制御手段を備えておけば、前記適当な回転量に相当する時間を制御手段に入力して、再駆動時には自動的に所望量だけ逆回転を行わせることができる。
【００２３】
【発明の実施の形態】
本発明の一実施の形態による自動壁紙糊付機の概略構成を、図１の側面透視図に示す。本壁紙糊付機は、基本的なロール構成については図４に示した従来装置と同様である。
【００２４】
即ち、糊付機本体１は、上部構体２と内部に糊桶４を備えた下部構体３とで構成され、この上下部構体（２，３）内に複数のロール（１０〜１７）が互いにギアを介して配列されているものである。
【００２５】
上部構体２内には、クロス１００を糊付機本体１内に後部側から取り込むためのピンチロールを構成する上側ピンチロール１０と、クロス１００に糊付機本体１の前部方向への送り出し張力を付与するためのドライブロール１２と、これら上側ピンチロール１０とドライブロール１２との間でクロス１００を上から押さえて追従回転する押さえロール１１とが、互いに所定間隔で平行に配列されるように、それぞれ上部構体２の側板に軸支されている。
【００２６】
また、下部構体３内には、前記上側ピンチロール１０と対になってピンチロールを構成する下側ピンチロール１３と、糊上げロール１７から転写された糊をクロス１００裏面に塗布する糊付けロール１５と、糊付けロール１５に接して糊量を調節するドクターロール１４と、前記ドライブロール１２と共にクロス１００に適度な張力を与えて前部方向へ送り出す均しロール１６とが、互いに所定間隔を持って平行に配列されるように、下部構体３の側板に軸支されている。
【００２７】
糊上げロール１７は、図２のｘ−ｘ部分断面図に示すように、糊桶４の内部両側面に軸支されていると共に、軸の一端側が、逆回転駆動装置Ｍ２内のモータ回転軸に連結されている。
【００２８】
また、糊付けロール１５は、図５（ａ）の場合と同様に、糊付機外面に取付けられた本発明の駆動機構としての駆動制御装置Ｍ１内のモータの回転軸に一端側の回転軸が連結されており、このモータの駆動によって糊付けロール１５が回転駆動される。ただし本糊付機では、この連結部にはワンウエイクラッチＺを介在させ、駆動制御装置Ｍ１のモータの回転駆動は糊付けロール１５へ伝達されるが、逆回転駆動装置Ｍ２内のモータ回転による糊上げロール１７からギアを介して伝達された糊付けロール１５の逆回転駆動は、駆動制御装置Ｍ１側へは伝達されず、糊付けロール１５の回転軸は連結部において自由回転可能とした。
【００２９】
駆動制御装置Ｍ１へ入力された作動条件等の制御情報を含む作動命令によって糊付けロール１５がモータによって回転駆動されると、糊付けロール１５にギアを介して連結されている他のロール（１３〜１７）も連動して回転駆動する。一方、駆動制御装置Ｍ１からの停止命令により糊付けロール１５およびその他のロールの回転駆動が一時停止している際に、逆回転駆動装置Ｍ２の制御部へ入力された逆回転量（時間）等の制御情報を含む作動命令によってモータが所定量だけ糊上げロール１７を逆回転駆動すると、それに伴って糊付けローラ１５およびこれにギアを介して連結している他のロールも所定量だけ逆回転駆動する。
【００３０】
なお、駆動制御装置Ｍ１と逆回転駆動装置Ｍ２の制御部とを連絡し、駆動制御装置Ｍ１への制御情報の入力により、回転駆動の一時停止後の再駆動時には、再駆動開始直前に自動的に逆回転駆動が行われるように設定可能とすれば、操作が簡便となる。
【００３１】
上記の如き構成の壁紙糊付機を用いた糊付け作業においては、まず、従来と同様の初期設定を行う。即ち、下部構体３に対して上部構体２を開いた状態とし、糊付機本体１の後部に取付けられたスリッタ１２０を通過して所定幅に調整されるクロス１００の先端を引き出し、その先端が本体全面側に垂れるようにクロス１００を下側ピンチロール１３，糊付けロール１５，均しロール１６の上に載せ、上部構体２を閉じ、クロス１００の挟み込み状態を得る。
【００３２】
この用にクロス１００がセットされた状態において、駆動制御装置Ｍ１への初期設定指令によって、初期設定量だけ駆動を開始させる。この初期駆動によってギアでそれぞれ連結された各ロールが所定の周速比で回転を始めると、糊上げロール１７が糊桶４内の糊を載せ上げつつ、糊付けロール１５へ糊を転写する。糊付けロール１５の表面へ転写された糊は、ドクターロール１４で所定量に調整されたのち、押さえロール糊付けロール１５の頭頂部に送られてくるクロス１００の裏面に転写塗布される。
【００３３】
糊付けされたクロス１００は、その後ドライブロール１２と均しロール１６とによって張力を与えられた状態で牽引され、均しロール１６による糊面の均しが行われつつ本体前面に送り出されてくる。初期設定量分のクロス１００裏面への糊付けが行われたら、駆動制御装置Ｍ１を介した停止命令により装置の駆動を一旦止めて、先端の糊付けされていない不要なクロス１００部分をカッタで切断して初期設定を終了する。
【００３４】
この初期設定終了後、実際に必要なクロス長等の条件設定を駆動制御装置Ｍ１へ入力し、その作動命令によってモータが糊付けロール１５を回転駆動させると、裏面全面に糊付けされたクロス１００が本体前面から送り出され、所望の長さでカッタで切断される。所望枚数が得られるまで糊付け後に設定長さで切断されたクロスが積層される。
【００３５】
この所望長さの糊付け済みクロス１００が所望枚数得られたら、駆動制御装置Ｍ１からの停止命令によってモータが装置駆動を停止する。或る時間経過後、再び、異なる長さの糊付けクロスを得る場合、新しい条件設定を駆動制御装置Ｍ１へ入力すると共に、駆動制御装置Ｍ１を介して逆回転駆動装置Ｍ２の制御部へ、再駆動開始直前に、所定時間の逆回転駆動を行うよう作動命令を入力した後、再駆動開始の作動命令を実行させる。
【００３６】
これによって駆動制御装置Ｍ１内のモータによる回転駆動開始直前に、逆回転駆動装置Ｍ２の作動命令によってモータが糊上げロール１７を約２秒間逆回転させる。これによって糊付けロール１５及びこれにギアを介して連動している下側ピンチロール１３、ドクターロール１４も逆回転駆動し、クロスも所定距離逆行する。
【００３７】
この逆回転駆動で、糊付けロール１５表面の前記停止時間において糊が流れ落ちて糊付着量が減少した領域に新たに糊が付着される。逆回転駆動の設定時間が経過した時点で逆回転駆動装置Ｍ２からの停止命令でモータによる糊上げロール１７および他のロールの逆回転が停止し、駆動制御装置Ｍ１内のモータによる糊付けロール１５の順回転駆動が始まり、クロス１００裏面への糊塗布が再開する。作業現場においては、糊付機を一時停止して或る時間経過後に再駆動させる度に、上記の操作を適宜繰り返せばよい。
【００３８】
例えば、糊付けロール１５の直径が約８．８ｃｍ、糊上げロール１７の直径が約５．２ｃｍである場合、上記逆回転を数秒間行うことによって、再駆動開始直後の糊付け済後端から現れるクロス裏面の糊塗布量不安定領域Ｕを約８ｃｍ程度にすることができ、その中で生じた糊塗布量不足領域Ｙに対する糊溜め点による縞は、図３の模式図に示すように最初のＡ点通過による一本のみであった。
【００３９】
以上のように、本実施形態による自動壁紙糊付機では、一時停止後の再駆動開始直後のクロス裏面の糊塗布量不安定領域Ｕは、従来に比べて大幅に低減され、クロスの無駄や切断の手間がほとんど省ける。
【００４０】
【発明の効果】
以上説明したとおり、本発明による自動壁紙糊付機によれば、逆回転駆動装置によって糊上げロールを逆回転駆動させることにより、一時停止後の再駆動開始前に、糊付けロール表面の糊付着量が減少してしまった領域に予め糊を付着させることができるため、糊塗布再開時に現れる糊塗布量不安定領域を従来より大幅に低減できるという効果がある。
【図面の簡単な説明】
【図１】本発明の一実施形態による自動壁紙糊付機の概略構成を説明するための側面透視図である。
【図２】本発明の一実施形態による自動壁紙糊付機の概略構成を説明するための図１のｘ−ｘ部の切断端面図である。
【図３】本発明の一実施形態による自動壁紙糊付機で糊塗布されたクロス裏面を示す模式図である。
【図４】一従来技術による自動壁紙糊付機の概略構成を説明するための側面透視図である。
【図５】（ａ）は図４の糊付機の上方から見た部分平面図、（ｂ）は（ａ）のＸ−Ｘ部分切断端面図である。
【図６】図４の従来の自動壁紙糊付機で糊塗布されたクロス裏面を示す模式図である。
【符号の説明】
１，１０１：糊付機本体
２，１０２：上部構体
３，１０３：下部構体
４，１０４：糊桶
１０，１１０：上側ピンチロール
１１，１１１：押さえロール
１２，１１２：ドライブロール
１３，１１３：下側ピンチロール
１４，１１４：ドクターロール
１５，１１５：糊付けロール
１６，１１６：均しロール
１７，１１７：糊上げロール
１００：クロス（シート状壁装材）
１２０：スリッタ
Ｍ１：駆動制御装置
Ｍ２：逆回転駆動装置
Ｔ：糊付け済領域
Ｕ：糊塗布量不安定領域
Ｓ：安定領域
Ｙ：糊塗布量不足領域
Ｚ：ワンウエイクラッチ
【図１】
0004242477.tif 000002
【図２】
0004242477.tif 000003
【図３】
0004242477.tif 000004
【図４】
0004242477.tif 000005
【図５】
0004242477.tif 000006
【図６】
0004242477.tif 000007